(57)【要約】【課題】人体以外の熱源や生物以外の動体、外光等の急峻な照度変化があっても、安定して感知できる性能を得られ、省エネ化できる照明装置を提供する。【解決手段】照明装置１０は、光源１２と、光源１２を点灯制御する点灯回路１１と、点灯回路１１を制御する制御部１３と、人検知部１５と、照度検知部１４と、を備え、照度検知部１４の出力値と人検知部１５の出力値とを制御部１３で読み込み、照度検知部１４の出力値からの人検知処理および人検知部１５の出力値からの人検知処理をそれぞれ行い、照度検知部１４および人検知部１５のいずれかの人検知処理の結果が人感知有の値の場合に人感知処理により感知を行なう。【選択図】図１
2013093103.tif 000002
【特許請求の範囲】
【請求項１】
光源と、
前記光源を点灯制御する点灯回路と、
前記点灯回路を制御する制御部と、
人検知部と、
照度検知部と、を備え、
前記照度検知部の出力値と前記人検知部の出力値とを前記制御部で読み込み、前記照度検知部の出力値からの人検知処理および前記人検知部の出力値からの人検知処理をそれぞれ行い、前記照度検知部および前記人検知部のいずれかの人検知処理の結果が人感知有の値の場合に人感知処理を行う照明装置。
【請求項２】
請求項１に記載の照明装置において、
前記照度検知部と前記人検知部とは、検知範囲が同じである照明装置。
【請求項３】
請求項１または請求項２に記載の照明装置において、
前記制御部は、前記照度検知部の出力値が一定量の照度以下の場合、前記照度検知部の出力を無効としてすべて人の存在有とみなし、前記人検知部の出力値のみで人感知処理をする照明装置。
【請求項４】
請求項１ないし請求項３のうちのいずれか１項に記載の照明装置において、
前記照度検知部は、自動で前記光源の出力を変化させて照射面の照度を一定に保つ自動調光用照度検知部を兼用する照明装置。
【請求項５】
請求項１ないし請求項４のうちのいずれか１項に記載の照明装置において、
前記制御部は、前記照度検知部の出力値に基づき、前記光源の自動調光を行っている間、前記照度検知部と前記人検知部との読取値を無効として人感知処理を行わない照明装置。
【請求項６】
請求項１ないし請求項５のうちのいずれか１項に記載の照明装置において、
前記制御部は、前記照度検知部の出力値に基づき、前記光源の自動調光を行っている間、前記照度検知部の出力を無効としてすべて人の存在有とみなし、前記人検知部のみで人感知処理を行う照明装置。
【請求項７】
請求項１ないし請求項６のうちのいずれか１項に記載の照明装置において、
前記照度検知部および前記人検知部は、複数個搭載される照明装置。
【請求項８】
請求項１ないし請求項７のうちのいずれか１項に記載の照明装置において、
前記光源が複数個搭載されており、前記光源は、前記制御部において人感知処理の情報に基づき、別々に点灯制御される照明装置。
【請求項９】
請求項１ないし請求項８のうちのいずれか１項に記載の照明装置において、
前記制御部は、前記照度検知部の出力値を読み取り、前回読み取った出力値との差分量がしきい値を超えた場合、人の存在有として処理する照明装置。
【請求項１０】
請求項１ないし請求項９のうちのいずれか１項に記載の照明装置において、
前記しきい値は、可変である照明装置。
【請求項１１】
請求項１ないし請求項１０のうちのいずれか１項に記載の照明装置において、
前記照度検知部は、出力値の読取周期が１５０〜３５０ｍｓである照明装置。
【請求項１２】
請求項１ないし請求項１１のうちのいずれか１項に記載の照明装置において、
前記人感知処理は、前記照度検知部および前記人検知部のうちのいずれか一方における人検知処理により人の存在有の結果が出力されてから、前記照度検知部および前記人検知部のうちのいずれか他方における人検知処理が人の存在有の結果が出力されるまでの遅延時間が４５０ｍｓ以内の場合、人の存在有として処理する照明装置。
【請求項１３】
請求項１ないし請求項１２のうちのいずれか１項に記載の照明装置において、
前記人検知部が、赤外線検出センサである照明器具。
【発明の詳細な説明】
【技術分野】
【０００１】
本発明は、人の存在を感知して点灯を制御する照明装置に関する。
【背景技術】
【０００２】
従来より、照明負荷と人検知部と照度検知部とを備えた照明装置が知られている（例えば、特許文献１参照）。
特許文献１は、周囲が暗く、かつ、人の存在を検知した場合に、人の存在を検知してから一定時間だけ照明負荷を点灯させる。
特許文献１は、周囲が暗く、かつ、人の存在を検知した場合に、照度検知部の検知出力値が一定量だけ変化すると、一定時間のカウントをリトリガする。
【０００３】
また、従来より、ＲＦ信号の人体による反射波を受信する受信用アンテナと、送信信号と受信信号とを基に人体検出信号を出力する信号処理部と、を備えた照明装置が知られている（例えば、特許文献２参照）。
特許文献２は、周波数混合回路により送信信号と受信信号との周波数差を基にドップラ信号を検出して、これを基にセンサ検出信号を出力する。
【先行技術文献】
【特許文献】
【０００４】
【特許文献１】特開２００１−１５５８７１号公報（図１、請求項１）
【特許文献２】特開２００９−２８１８９４号公報（図３、段落００１３）
【発明の概要】
【発明が解決しようとする課題】
【０００５】
特許文献１は、人検知部に、ＰＩＲ（Passive Infrared Radiation）センサが使用されている。
ＰＩＲセンサは、パッシブ型センサであり、センサの検知エリア内で、人の動き等を温度変化により感知することにより、容易に使用することが可能である。
しかしながら、ＰＩＲセンサは、周囲の温度に影響を受け易い。すなわち、人の動き以外の、例えば空調等の影響を受けることになる。
そのため、特許文献１は、検知エリアに人がいないにも関わらず、熱移動が起こることにより、検知範囲に人がいると判断して光源を点灯させてしまう。
【０００６】
また、照度検知部は、照度の変化を読み取っている。そのため、外光が入射する環境である場合、外光のゆらぎ等の外乱要因によって検知エリアに人がいると判断して光源を点灯させてしまう。すなわち、外光等のゆらぎ等によるノイズに非常に弱い。
これらより、特許文献１は、リビングルーム等に設置されるエアコンや、窓からの外光等、急峻に環境が変化する部屋では外乱要因による誤感知が多くなる。
従って、特許文献１は、正常動作することが難しい。
【０００７】
一方、特許文献２は、特許文献１の問題点を解決するために提案されたものである。
しかし、特許文献２は、カーテンが風に揺れる動作等、動体が何かに関わらず、検出部が感知を行う。
また、特許文献２は、指向性を持たせるために送信アンテナ、受信アンテナは大きくなくてはならず、高周波発振部、ＢＰＦ回路、ドップラー差分演算部等を搭載する。
従って、特許文献２は、検出部の大型化、消費電力の増大およびコストアップをまねいてしまう。
【０００８】
本発明は、前述した課題を解決するためになされたものであり、その目的は、人体以外の熱源や生物以外の動体、外光等の急峻な照度変化があっても、安定して感知できる性能を得られ、省エネ化できる照明装置を提供することにある。
【課題を解決するための手段】
【０００９】
本発明に係る照明装置は、光源と、前記光源を点灯制御する点灯回路と、前記点灯回路を制御する制御部と、人検知部と、照度検知部と、を備え、前記照度検知部の出力値と前記人検知部の出力値とを前記制御部で読み込み、前記照度検知部の出力値からの人検知処理および前記人検知部の出力値からの人検知処理をそれぞれ行い、前記照度検知部および前記人検知部のいずれかの人検知処理の結果が人感知有の値の場合に人感知処理を行う。
【００１０】
本発明に係る照明装置は、前記照度検知部と前記人検知部とは、検知範囲が同じである。
【００１１】
本発明に係る照明装置は、前記制御部は、前記照度検知部の出力値が一定量の照度以下の場合、前記照度検知部の出力を無効としてすべて人の存在有とみなし、前記人検知部の出力値のみで人感知処理をする。
【００１２】
本発明に係る照明装置は、前記照度検知部は、自動で前記光源の出力を変化させて照射面の照度を一定に保つ自動調光用照度検知部を兼用する。
【００１３】
本発明に係る照明装置は、前記制御部は、前記照度検知部の出力値に基づき、前記光源の自動調光を行っている間、前記照度検知部と前記人検知部との読取値を無効として人感知処理を行わない。
【００１４】
本発明に係る照明装置は、前記制御部は、前記照度検知部の出力値に基づき、前記光源の自動調光を行っている間、前記照度検知部の出力を無効としてすべて人の存在有とみなし、前記人検知部のみで人感知処理を行う。
【００１５】
本発明に係る照明装置は、前記照度検知部および前記人検知部は、複数個搭載される。
【００１６】
本発明に係る照明装置は、前記光源が複数個搭載されており、前記光源は、前記制御部において人感知処理の情報に基づき、別々に点灯制御される。
【００１７】
本発明に係る照明装置は、前記制御部は、前記照度検知部の出力値を読み取り、前回読み取った出力値との差分量がしきい値を超えた場合、人の存在有として処理する。
【００１８】
本発明に係る照明装置は、前記しきい値は、可変である。
【００１９】
本発明に係る照明装置は、前記照度検知部は、出力値の読取周期が１５０〜３５０ｍｓである。
【００２０】
本発明に係る照明装置は、前記人感知処理は、前記照度検知部および前記人検知部のうちのいずれか一方における人検知処理により人の存在有の結果が出力されてから、前記照度検知部および前記人検知部のうちのいずれか他方における人検知処理が人の存在有の結果が出力されるまでの遅延時間が４５０ｍｓ以内の場合、人の存在有として処理する。
【００２１】
本発明に係る照明装置は、前記人検知部が、赤外線検知センサである。
【発明の効果】
【００２２】
本発明に係る照明装置によれば、人体以外の熱源や生物以外の動体、外光等の急峻な照度変化があっても、安定して感知できる性能を得られ、省エネ化できるという効果を奏する。
【図面の簡単な説明】
【００２３】
【図１】本発明に係る第１実施形態の照明装置のブロック構成図
【図２】本発明に係る第１実施形態の照明装置の側面図
【図３】本発明に係る第１実施形態の照明装置の底面図
【図４】本発明に係る第１実施形態の照明装置の設置環境の外観図
【図５】本発明に係る第１実施形態の照明装置の制御部の制御動作を説明するタイミングチャート
【図６】本発明に係る第２実施形態の照明装置の制御部の制御動作を説明するタイミングチャート
【図７】本発明に係る第３実施形態の照明装置の制御部の制御動作を説明するタイミングチャート
【図８】本発明に係る第４実施形態の照明装置の制御部の制御動作を説明するタイミングチャート
【図９】本発明に係る第５実施形態の照明装置のブロック構成図
【図１０】本発明に係る第５実施形態の照明装置の側面図
【図１１】本発明に係る第５実施形態の照明装置の底面図
【図１２】本発明に係る第５実施形態の照明装置の設置環境の外観図
【図１３】本発明に係る第５実施形態の照明装置の制御部の制御動作を説明するタイミングチャート
【発明を実施するための形態】
【００２４】
以下、本発明に係る複数の実施形態の照明装置について図面を参照して説明する。
（第１実施形態）
図１に示すように、本発明に係る第１実施形態の照明装置１０は、交流電源ＡＣが給電される点灯回路部１１と、光源であるＬＥＤ発光部１２と、制御部１３と、照度検知部１４と、人検知部１５とを備えている。
点灯回路部１１は、点灯電源１６と、制御電源１７と、ドライバ部１８と、降圧チョッパ部１９とを備えている。
制御部１３は、メモリ部２０と、演算部２１と、タイマ部２２とを備えている。
【００２５】
照度検知部１４は、例えば、アナログフォトＩＣであり、周囲の照度が高ければ出力値である出力電圧が高く出力され、周囲の照度が低ければ出力電圧が低く出力される。
なお、照度検知部１４は、アナログフォトＩＣに代えて、ＣｄＳやデジタルフォトＩＣ等の光の強さによって電気抵抗が変動する素子であってもよい。
人検知部１５は、焦電型赤外線センサであり、人を感知しない場合に出力値がＨ（Ｈｉｇｈ）になり、これとは異なり、人を感知した場合に出力値がＬ（Ｌｏｗ）になる。
【００２６】
なお、人検知部１５は、焦電型赤外線センサに代えて、赤外線アレイセンサや、ＣＭＯＳ熱感知センサや、サーモパイルや、他の構成要素を含むものであってもよい。
光源は、ＬＥＤ発光部１２に代えて、例えば、有機ＥＬ（エレクトロルミネッセンス）や無機ＥＬを適用することができる。
【００２７】
照度検知部１４の出力値と、人検知部１５の出力値とは、制御部１３に別々に取り込まれ、それぞれの出力値が演算部２１において演算処理され、人感知処理が行われる。
制御部１３は、点灯状態と人感知状態とに基づいて、ドライバ部１８を介して点灯電源１６に信号を送ることによりＬＥＤ発光部１２を点灯制御する。
また、制御部１３は、例えば、人の感知がない状態がタイマ部２２で計時されるために、一定時間（点灯保持時間、例えば１０分〜３０分）の間に人の感知がなければ、ＬＥＤ発光部１２を消灯制御する。
【００２８】
図２に示すように、照明装置１０は、器具本体２３と、器具本体２３の中央部に設けられて器具本体２３を天井面９０に取り付けるための取付部２４とを備える。
また、照明装置１０は、器具本体２３の下面において取付部２４の側部に点灯回路部１１および制御部１３が取り付けられており、取付部２４の周囲に複数のＬＥＤ発光部１２が取り付けられている。
照明装置１０は、ＬＥＤ発光部１２を覆うように器具本体２３の周縁部に取り付けられた乳白色や透明なカバー２５を備え、器具本体２３の周縁部にセンサケース２６が取り付けられている。
【００２９】
図３に示すように、器具本体２３は、四角形に形成されており、中央部の取付部２４の周囲に、複数のＬＥＤ発光部１２が取付部２４を囲んで配置されている。
ＬＥＤ発光部１２は、複数のＬＥＤチップ２７が光軸方向を床面に向けてＬＥＤ基板２８に実装されている。ＬＥＤ基板２８は、不図示のプリント回路を備えており、このプリント回路が点灯回路部１１に電気的に接続されている。
そして、センサケース２６に、照度検知部１４および人検知部１５が収容されている。
【００３０】
照度検知部１４および人検知部１５は、同一の不図示の基板上に実装されており、自光や不図示の自赤外光が入射しにくい位置である器具本体２３の枠部分に取り付けられている。
これは、設置位置を限定するものではなく、照度検知部１４と人検知部１５とは同一の基板上に実装されていなくてもよい。また、器具本体２３の中心部やその他の場所に取り付けられていてもよく、あるいは、別の部材に保持されるようにしてもよい。
【００３１】
図４に示すように、照明装置１０は、照度検知部１４が検知範囲Ｘ１を有し、人検知部１５が照度検知部１４の検知範囲Ｘ１と同一の検知範囲Ｙ１を有する。そのため、検知範囲Ｘ１および検知範囲Ｙ１により、効果的に人のみを感知できる。
例えば、人検知部１５が熱検知を行った場合、照度検知部１４とともに同じ検知感度を有することができるため、照度検知部１４および人検知部１５が一組として動作することにより、人以外の存在を感知しないようなノイズキャンセリングが可能である。
【００３２】
一般的な住宅環境の設置状況において、照度が変化する要因としては、外光が変化した場合やカーテン等で外光が遮られた場合や人が動いた場合等が考えられる。
また、人検知部１５が熱感知を行う要因としては、エアコン９１等の空調機による空気のゆらぎ、あるいは、人が動いた場合等が考えられる。
このとき、熱移動と照度変化が同時に起こる現象は、人が動いた場合のみであるために、人検知部１５による熱移動および照度検知部１４による照度変化を検知することにより、人の感知が確実に可能である。
【００３３】
次に、照明装置１０の具体的な制御動作について説明する。
図１に示すタイマ部２２は、図５に示すように、照度検知部差分感知タイマ２９と、人検知部出力感知タイマ３０と、人感知タイマ３１とを含む。
照度検知部１４の出力電圧（照度検知部出力電圧）Ｖ１は周囲光によって変化する。制御部１３は、この出力電圧Ｖ１をサンプリングする。
【００３４】
ここで、外光のゆらぎを検知しにくく、人検知時に最適なサンプリング間隔は、１５０〜３５０ｍｓである。
従って、制御部１３は、照度検知部１４の出力電圧Ｖ１を２００ｍｓごとにサンプリングすることにより、外光のゆらぎを検知しにくく、人検知を確実にできる。
なお、サンプリング間隔は、２００ｍｓに限定されるものではなく、外光のゆらぎを検知しにくく、人検知をしやすいサンプリング間隔であればよい。
【００３５】
制御部１３は、サンプリングした２００ｍｓ前の出力電圧Ｖ１と現在の出力電圧Ｖ１との差分計算を行い、照度検知部差分出力電圧Ｖ２を算出する。
時点Ｔ１１において、照度検知部差分出力電圧Ｖ２がしきい値Ｖｔｈ１を超えた場合、動体が動いたと感知することにより照度検知部差分感知フラグＦａを感知有「Ｌ」として処理を行う。
【００３６】
このとき、照度検知部差分感知タイマ２９は、照度検知部差分感知フラグＦａが感知有「Ｌ」であることにより、トリガをかけ続けるため、カウントは減らず、残りの４５０ｍｓのまま待機となる。
【００３７】
時点Ｔ１２において、照度検知部差分出力電圧Ｖ２がしきい値Ｖｔｈ１を下回り、しきい値Ｖｔｈ２を上回った場合、照度検知部差分感知フラグＦａが感知無「Ｈ」になって処理が行われる。
照度検知部差分感知フラグＦａが時点Ｔ１２の感知無「Ｈ」から、照度検知部差分感知タイマ２９が４５０ｍｓのカウントダウンを始める。
【００３８】
時点Ｔ１３において、照度検知部差分出力電圧Ｖ２がしきい値Ｖｔｈ１を下回ることにより、再びトリガされて、照度検知部差分感知タイマ２９のカウント値が４５０ｍｓに戻る。
時点Ｔ１４において、照度検知部差分出力電圧Ｖ２がしきい値Ｖｔｈ２を上回ることにより、照度検知部差分感知フラグＦａが感知無「Ｈ」となる。
【００３９】
時点Ｔ１５において、照度検知部差分感知タイマ２９のカウント値が「０」になることにより、照度検知部差分出力電圧Ｖ２による人感知は終了する。
以後、制御部１３は、時点Ｔ１６、時点Ｔ１７、時点Ｔ１８、時点Ｔ１９、時点Ｔ２０、時点Ｔ２１、時点Ｔ２２、時点Ｔ２３において差分計算を行い、照度検知部差分出力電圧Ｖ２を算出する。
【００４０】
ここで、照度検知部差分出力電圧Ｖ２のしきい値Ｖｔｈ１およびしきい値Ｖｔｈ２は固定ではなくてもよい。
例えば、照度の絶対値に対して、しきい値を電圧値±０．０３〜０．０８Ｖまで３段階で可変として検知範囲の照度が低い場合にしきい値を下げ、逆に照度が高い場合にしきい値を上げるようにしてもよい。
従って、しきい値を可変することにより、人感知の精度を照度によって変化せず一定にできる。
【００４１】
一方、人検知部１５は、熱移動が起こったときに出力電圧（人検知部出力）Ｖ３が変化する。時点Ｔ３１において、熱移動が起こった場合、人検知部１５の出力電圧Ｖ３が「Ｌ」になり、人感知フラグＦｂが人感知有となる。
このとき、人検知部１５は、照度検知部１４と同様に、人検知部出力感知タイマ３０のトリガをかけ続けるため、人検知部出力感知タイマ３０は、カウントダウンされずに残り４５０ｍｓのまま待機する。
【００４２】
時点Ｔ３２において、出力電圧Ｖ３が「Ｈ」になり、時点Ｔ３２の以後の時点Ｔ３３において、人検知部出力感知タイマ３０は、カウントダウンを終え、人感知フラグＦｂが人感知無となる。
時点Ｔ３４において、人検知部１５の出力電圧Ｖ３が「Ｌ」になった場合、人感知フラグＦｂが人感知有となり、人検知部出力感知タイマ３０は、４５０ｍｓにカウント値が戻り、人感知タイマ３１がカウントダウンを始める。
【００４３】
時点Ｔ３５において、人検知部１５の出力電圧Ｖ３が「Ｈ」になった場合、人検知部出力感知タイマ３０は、カウントダウンを始める。
時点Ｔ３６において、人検知部１５の出力電圧Ｖ３が「Ｌ」になった場合、人検知部出力感知タイマ３０は、４５０ｍｓにカウント値が戻る。
人検知部１５の出力電圧Ｖ３による人感知は、人検知部出力感知タイマ３０のカウント値が「０」になったときに終了する。
【００４４】
このように、制御部１３は、照度検知部差分感知タイマ２９と人検知部出力感知タイマ３０とに人の感知がいずれもある場合、照度検知部１４および人検知部１５のうちのいずれか一方が優先的に感知を行う。
そして、１００〜５００ｍｓ以内に、照度検知部１４および人検知部１５のうちのいずれか他方が感知を行うために、カウント時間を４５０ｍｓとしている。
【００４５】
このとき、照度検知部差分感知タイマ２９および人検知部出力感知タイマ３０が作動している場合にのみ、人感知フラグＦｂを感知有にして、人がいることを感知する。
また、人感知タイマ３１は、カウント時間を時点Ｔ３４から時点Ｔ３７までの２０分（ｍｉｎ）としており、タイマカウントが「０」になった場合、ＬＥＤ発光部１２を消灯する等の所定の操作をする。
【００４６】
そして、人感知タイマ３１のカウントが「０」から人感知フラグＦｂがトリガされた場合、ＬＥＤ発光部１２を点灯させる等の動作を行う。
さらに、照度検知部１４の照度検知部差分感知タイマ２９および人検知部１５の人検知部出力感知タイマ３０のうちのいずれか一方が作動している場合は、人感知フラグＦｂをトリガして感知有にしない制御を行う。
【００４７】
以上、説明した本発明に係る第１実施形態の照明装置１０によれば、外光が急峻に変化する環境や、熱移動が頻繁に起こる環境においても、照度検知部１４および人検知部１５の出力値からＡＮＤ処理を行うことにより、人の存在を確実に感知することができる。
【００４８】
また、照明装置１０によれば、検知範囲を同一にすることにより、照度検知部１４および人検知部１５のうちのいずれか一方のみの検知範囲をなくして照度検知部１４および人検知部１５の２つの検知範囲内で人の存在があることを確実に感知できる。
【００４９】
そして、照明装置１０によれば、人が動いた情報を照度変化で読み取ることができ、照度検知部１４により人の動きを感知できる。
【００５０】
さらに、照明装置１０によれば、照度の絶対値が変わった場合においても、しきい値Ｖｔｈ１，Ｖｔｈ２が可変であることにより、検出感度を一定に保つことができる。
【００５１】
さらにまた、照明装置１０によれば、外光のゆらぎによる照度変化をあまり読み取らずにすみ、人の移動による照度変化を効率よく読み取ることができる。
【００５２】
そして、照明装置１０によれば、空調による熱移動と外光のゆらぎとが同時に存在する環境においても、誤感知せずに人の存在を確実に感知できる。
【００５３】
加えて、照明装置１０によれば、照度検知部１４と別の原理で人の存在を感知することができるため、より精度良く人の存在を知ることができる。
【００５４】
（第２実施形態）
次に、本発明に係る第２実施形態の照明装置について説明する。
なお、以下の各実施形態において、前述した第１実施形態と重複する構成要素や機能的に同様な構成要素については、図中に同一符号あるいは相当符号を付することによって説明を簡略化あるいは省略する。
【００５５】
図１および図６に示すように、本発明に係る第２実施形態の照明装置４０は、制御部４３が、照度検知部１４の出力電圧Ｖ１に基づいて照度の絶対値を読み取る。
そして、制御部４３は、読み取った照度の絶対値が、一定量の照度以下と判断した場合、照度検知部差分感知フラグＦａを無効とし、人検知部１５のみの出力電圧Ｖ３を読み取って人感知を行う。
【００５６】
通常、ＬＥＤ発光部１２が消灯状態や、部屋の色が非常に暗い場合等は、照度検知部１４の絶対値が低く、光の照度検知部差分出力電圧Ｖ２も相対的に低くなる。
そのため、このような状態において、照度検知部差分感知フラグＦａを無効とすることにより、照度が暗すぎるために照度検知部１４の照度検知部差分出力電圧Ｖ２が読み取れなくなることを防止できる。
【００５７】
照度検知部１４の出力電圧Ｖ１が０．２Ｖ以下の場合、被照射面の反射率、もしくは、照度が非常に低いと考えられる。
そこで、制御部４３は、出力電圧Ｖ１が０．１５Ｖ未満である時点Ｔ４１から時点Ｔ４２までの間において、照度検知部差分出力電圧Ｖ２の結果に関わらず、照度検知部差分出力電圧Ｖ２を読み取らない無効区間４１を設定している。
【００５８】
無効区間４１は、出力電圧Ｖ１が０．１５Ｖ未満になった時点で設定し、出力電圧Ｖ１が０．１５Ｖ以上となった場合、その時点で設定を解除するようにしてもよい。
無効区間４１は、照度検知部差分出力電圧Ｖ２がしきい値Ｖｔｈ１を越えている時点Ｔ４３において、制御部４３のＡ／Ｄ変換の精度誤差が相対的に大きくなることを加味して設定される。
【００５９】
無効区間４１の間は、人検知部１５の情報のみで人感知を行い、人感知タイマ３１を動作させる。
なお、照度検知部１４の出力電圧Ｖ１は、器具本体２３の構造や回路構成に左右される入射光量により変動するために、無効区間４１を設定するための電圧は、０．１５Ｖ未満ではなくてもよく、０．１５Ｖよりも低くてもよく、０．１５Ｖよりも高くてもよい。
他の制御動作は、第１実施形態と同様であるために、説明を省略する。
【００６０】
照明装置４０によれば、低照度の状態において、照度検知部１４の照度変化が読み取りづらい場合でも、精度良く人の存在を感知することができる。
【００６１】
（第３実施形態）
次に、本発明に係る第３実施形態の照明装置について説明する。
図１および図７に示すように、本発明に係る第３実施形態の照明装置５０は、制御部５３が、照度検知部１４の出力電圧Ｖ１より照度の絶対値を読み取り、ユーザーが所望する照度に自動調光する機能を有する。
【００６２】
そして、制御部５３は、自動調光中の間に、照度検知部差分出力電圧Ｖ２の読み取りを無効とする。
従って、自動調光による自光の出力変化によって照度検知部差分出力電圧Ｖ２がしきい値Ｖｔｈ１を超えて照度検知部差分感知フラグＦａが勝手にトリガされることを防止できる。
【００６３】
制御部５３は、自動調光が開始されてから終了され、終了されてから２３０ｍｓの間である区間Ａ１、区間Ｂ１、区間Ｃ１、区間Ｄ１において、照度検知部１４の照度検知部差分出力電圧Ｖ２がしきい値Ｖｔｈ１を超えても照度検知部差分感知フラグＦａを無効とする。
その際、制御部５３は、照度検知部差分感知タイマ２９、人検知部出力感知タイマ３０、人感知タイマ３１を一時停止する。
そして、制御部５３は、各タイマ２９，３０，３１の終了から２３０ｍｓを過ぎたときに、一時停止した各タイマ２９，３０，３１を再び開始させて通常動作に戻る。
【００６４】
また、自動調光中および終了から２３０ｍｓの間、人感知フラグＦｂは無効となり、強制的に人感知なしの状態になる。
人検知部１５の出力電圧Ｖ３が自動調光中に感知を行った場合、人検知部出力感知タイマ３０はトリガされるが、人検知部出力感知タイマ３０は一時停止し、自動調光終了から２３０ｍｓ過ぎて通常動作に戻った際にカウントを再開する。
【００６５】
しかし、終了から２３０ｍｓ後に照度検知部差分感知タイマ２９と人検知部出力感知タイマ３０とのカウントが「０」でない場合、人感知フラグＦｂにより感知を行い、トリガされて人感知タイマ３１が動作することになる。
なお、この無効時間は、２３０ｍｓではなくてもよく、任意の時間を設定できる。
他の制御動作は、第１実施形態と同様であるために、説明を省略する。
【００６６】
照明装置５０によれば、他の省エネ可能な付加機能と兼用することができるため、コスト削減とさらなる省エネ化が可能である。
【００６７】
照明装置５０によれば、点灯回路部１１が自動的に光源の照度を調節している間、自光の変化による照度変化によって誤作動しないように、一定時間、照度検知部１４および人検知部１５の出力値を無視することで、誤感知を防止できる。
【００６８】
（第４実施形態）
次に、本発明に係る第４実施形態の照明装置について説明する。
図１および図８に示すように、本発明に係る第４実施形態の照明装置６０は、制御部６３が、自動調光時において、照度検知部１４の出力電圧Ｖ１を無効とし、人検知部１５のみで人感知フラグＦｂにより感知を行う。
そのため、自動調光に左右されることなく感知機会を増やすことができる。
【００６９】
制御部６３は、自動調光が開始されてから終了され、終了されてから２３０ｍｓの間である区間Ｅ１、区間Ｆ１、区間Ｇ１、区間Ｈ１において、照度検知部１４の照度検知部差分出力電圧Ｖ２による照度検知部差分感知フラグＦａを無効とする。
そして、制御部６３は、照度検知部差分感知タイマ２９を一時停止する。
また、制御部６３は、終了から２３０ｍｓ後に照度検知部差分出力電圧Ｖ２による照度検知部差分感知フラグＦａを有効としてトリガできるようにする。
そして、制御部６３は、照度検知部差分感知タイマ２９を再開する。
【００７０】
また、制御部６３は、人検知部１５において、区間Ｅ１、区間Ｆ１、区間Ｇ１、区間Ｈ１の状態で、人検知部出力感知タイマ３０が一時停止する。
しかし、区間Ｅ１、区間Ｆ１、区間Ｇ１、区間Ｈ１の状態で、人検知部１５の人感知が行われると、照度検知部差分出力電圧Ｖ２による人感知状態が無効となっているが、人検知部感知トリガのみで人感知フラグＦｂをトリガする。
【００７１】
また、制御部６３は、人感知フラグＦｂは自動調光中もフラグを検出することから、人感知タイマ３１は、区間Ｅ１、区間Ｆ１、区間Ｇ１、区間Ｈ１の状態で一時停止しない。
他の制御動作は、第１実施形態と同様であるために、説明を省略する。
【００７２】
照明装置６０によれば、点灯回路部１１が自動的に光源の照度を調節している間、自光の変化による照度変化によって、誤作動しないように、照度検知部１４の出力値を一定時間無視し、人検知部１５の出力値のみで検知を行うことにより、誤感知を防止できる。
【００７３】
（第５実施形態）
次に、本発明に係る第５実施形態の照明装置について説明する。
図９に示すように、本発明に係る第５実施形態の照明装置７０は、自動配光制御による照射域の自動制御を行う。
従って、人の存在を確実に感知しつつ、さらなる省エネ化を図れる。
【００７４】
照明装置７０は、交流電源ＡＣが給電される点灯回路部７１と、第１ＬＥＤ発光部７２および第２ＬＥＤ発光部７３と、制御部７４と、第１照度検知部７５および第２照度検知部７６と、第１人検知部７７および第２人検知部７８とを備えている。
点灯回路部７１は、点灯電源７９と、制御電源８０と、ドライバ部８１と、第１降圧チョッパ部８２および第２降圧チョッパ部８３とを備えている。
【００７５】
制御部７４は、メモリ部８４と、演算部８５と、タイマ部８６とを備えている。
なお、第１ＬＥＤ発光部７２および第２ＬＥＤ発光部７３と、第１照度検知部７５および第２照度検知部７６と、第１人検知部７７および第２人検知部７８とは、２つずつ搭載されているが、それらの数は限定されることはなく、必要な数を搭載することができる。
【００７６】
図１０および図１１に示すように、照明装置７０は、第１照度検知部７５および第１人検知部７７が器具本体２３の一方の枠部分に取り付けられている。
また、照明装置７０は、第２照度検知部７６および第２人検知部７８が、第１照度検知部７５および第１人検知部７７の検知範囲と独立させるために、器具本体２３の枠部分の他方に取り付けられている。
【００７７】
なお、各検知部７５，７７，７６，７８は、検知範囲を別々にするために、器具本体２３の枠部分以外の部位にそれぞれ取り付けられてもよい。
そして、照明装置７０は、第１ＬＥＤ発光部７２が第１照度検知部７５および第１人検知部７７の検知方向と同じ方向を照射する位置に配置されており、人の存在の状態によって自動配光制御が可能である。
さらに、照明装置７０は、第２ＬＥＤ発光部７３が第２照度検知部７６および第２人検知部７８の検知方向と同じ方向を照射する位置に配置されており、人の存在の状態によって自動配光制御が可能である。
【００７８】
図１２に示すように、照明装置７０は、第１照度検知部７５が検知範囲Ｘ２を有し、第１人検知部７７が第１照度検知部７５の検知範囲Ｘ２と同一の検知範囲Ｙ２を有する。
また、照明装置７０は、第２照度検知部７６が検知範囲Ｘ３を有し、第２人検知部７８が第２照度検知部７６の検知範囲Ｘ３と同一の検知範囲Ｙ３を有する。
従って、検知範囲Ｘ２，Ｙ２および検知範囲Ｘ３，Ｙ３により、人を感知する範囲を複数の広範囲にできる。
【００７９】
なお、各検知範囲Ｘ２，Ｘ３，Ｙ２，Ｙ３は、同一の範囲を重複して検知する部分を有するが、これは、照明装置７０の直下に人がいる場合、第１ＬＥＤ発光部７２および第２ＬＥＤ発光部７３を両方点灯させるためである。
また、各検知範囲Ｘ２，Ｘ３，Ｙ２，Ｙ３の分割数は、２つに限ることはなく、２つ以上の分割数であってもよい。
【００８０】
図１３に示すように、第１照度検知部７５および第１人検知部７７の出力は、人感知フラグＦｃと、人感知タイマ８７と、第１ＬＥＤ発光部７２の光出力とに対応している。
同様に、第２照度検知部７６および第２人検知部７８の出力は、人感知フラグＦｄ、人感知タイマ８８と、第２ＬＥＤ発光部７３の光出力とに対応している。
制御部７４は、時点Ｔ７１において、検知範囲に人が侵入してきたことにより、人感知フラグＦｃおよび人感知フラグＦｄがトリガされ、それにより、人感知タイマ８７および人感知タイマ８８が所定の時間にトリガされる。
【００８１】
そして、人感知フラグＦｃ，Ｆｄの終了の時点Ｔ７２から、人感知タイマ８７および人感知タイマ８８がカウントダウンを始める。
人感知タイマ８７および人感知タイマ８８のカウント中は、第１ＬＥＤ発光部７２および第２ＬＥＤ発光部７３は点灯保持される。
【００８２】
時点Ｔ７３において、人感知タイマ８８はカウントが「０」となり、その時点で、第２ＬＥＤ発光部７３は消灯状態に移行する。
一方、人感知タイマ８７は、時点Ｔ７１と時点Ｔ７２との間でトリガされており、カウントダウン中であるので、第１ＬＥＤ発光部７２の点灯状態を保つ。
時点Ｔ７４において、人感知が断続的にないので、人感知フラグＦｃがトリガされず、人感知タイマ８７は、カウントが「０」になるので、第１ＬＥＤ発光部７２は消灯状態に移行する。
【００８３】
このとき、人感知タイマ８７および人感知タイマ８８は、リビングルームで使用されることを考慮してカウントダウン時間を２０分に設定している。
なお、人感知タイマ８７および人感知タイマ８８は、カウントダウン時間が２０分ではなくてもよく、ユーザーが任意の時間に設定することができるようにしてもよい。
【００８４】
照明装置７０によれば、検知範囲を複数設けることにより、より細かい範囲での人の感知が可能となり、複雑な環境に対応できる。
【００８５】
また、照明装置７０によれば、複数の光源である第１ＬＥＤ発光部７２および第２ＬＥＤ発光部７３を分割して搭載することにより、より細かい範囲での点灯制御が可能となり、さらなる省エネ化が可能である。
【００８６】
なお、本発明の照明装置において点灯電源、制御電源、ドライバ部、メモリ部、演算部等は、前述した各実施形態に限定されるものでなく、適宜な変形や改良等が可能である。
【符号の説明】
【００８７】
１０，４０，５０，６０，７０  照明装置
１１，７１  点灯回路部（点灯回路）
１２  ＬＥＤ発光部（光源）
１３，７４  制御部
１４  照度検知部
１５  人検知部
７２  第１ＬＥＤ発光部（光源）
７３  第２ＬＥＤ発光部（光源）
７５  第１照度検知部（照度検知部）
７６  第２照度検知部（照度検知部）
７７  第１人検知部（人検知部）
７８  第２人検知部（人検知部）
【図１】
2013093103.tif 000003
【図２】
2013093103.tif 000004
【図３】
2013093103.tif 000005
【図４】
2013093103.tif 000006
【図５】
2013093103.tif 000007
【図６】
2013093103.tif 000008
【図７】
2013093103.tif 000009
【図８】
2013093103.tif 000010
【図９】
2013093103.tif 000011
【図１０】
2013093103.tif 000012
【図１１】
2013093103.tif 000013
【図１２】
2013093103.tif 000014
【図１３】
2013093103.tif 000015